(57)【要約】【課題】簡便な構成で重量ランク選別、組み合わせ計量と併用可能なランク選別が可能であり、また、品質による選別と重量ランクによる選別を同時に行うことができでき、或いは重量ランク選別を行うと同時に組み合わせ計量を行うことができる組み合わせ計量機及び組み合わせ計量機の使用方法を実現する。【解決手段】野菜・食品等の単体及び／又は組み合わせを秤量するための組み合わせ計量機において、該組み合わせ計量機の各計量部位は近傍にマトリクス表示素子を備え、該組み合わせ計量機の各計量部位に於いて重量ランク選別を行うと同時に組み合わせ計量を行うことができるものであって、該重量ランク選別のための重量ランクを複数設定する機構と、該重量ランクごとに異なった組み合わせ計量の目標重量を設定する機構とを有し、重量ランク選別を行うと同時に組み合わせ計量を行うことができ、さらにデータを統合して伝票データや出荷データを生成し出力、共有化することができることを特徴とする、組み合わせ計量機であり、その使用方法である。【選択図】図１
2019066432.tif 000002
【特許請求の範囲】
【請求項１】
野菜・食品等の単体及び／又は組み合わせを秤量するための組み合わせ計量機において、
該組み合わせ計量機の各計量部位は近傍にマトリクス表示素子を備え、
該組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機能を有し、
該組み合わせ計量機の各計量部位に於いて重量ランク選別を行うにあたり、
該組み合わせ計量機の計量部位は複数の計量部位群に分割して機能する機構を有し、
該複数の計量部位群のそれぞれに対して品質によるランクを設定することが出来、
品質による選別と重量ランクによる選別を同時に行うことができることを特徴とする、
組み合わせ計量機。
【請求項２】
該品質による選別と重量ランクによる選別を同時に行うことができる組み合わせ計量機に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能を有し、
品質による選別と重量ランクによる選別を同時に行うとともに選別データを蓄積することができることを特徴とする、
請求項１記載の組み合わせ計量機。
【請求項３】
該品質による選別と重量ランクによる選別を同時に行うことができる組み合わせ計量機は、
更に品質による選別と重量ランクによる選別を関連付けて記憶した選別データを外部出力する機能を有することを特徴とする、
請求項２記載の組み合わせ計量機。
【請求項４】
該品質による選別と重量ランクによる選別を関連付けて記憶した選別データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする、
請求項３記載の組み合わせ計量機。
【請求項５】
該品質による選別と重量ランクによる選別を同時に行うことができる組み合わせ計量機に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能と、
これらデータを集計して受け入れデータを生成する機能を有することを特徴とする、
請求項２乃至４の何れか一に記載の組み合わせ計量機。
【請求項６】
該品質による選別と重量ランクによる選別を同時に行うことができる組み合わせ計量機に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能と、
これらデータを集計して受け入れデータを生成する機能と、
該受け入れデータ及び当日の価格データを元に伝票データを生成する機能を有することを特徴とする、
請求項５記載の組み合わせ計量機。
【請求項７】
該品質による選別と重量ランクによる選別を同時に行うことができる組み合わせ計量機は、
該受け入れデータ或いは該伝票データを外部出力する機能を有することを特徴とする、
請求項５又は６記載の組み合わせ計量機。
【請求項８】
該受け入れデータ或いは該伝票データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする、
請求項７記載の組み合わせ計量機。
【請求項９】
野菜・食品等の単体及び／又は組み合わせを秤量するための組み合わせ計量機において、
該組み合わせ計量機の各計量部位は近傍にマトリクス表示素子を備え、
該組み合わせ計量機の各計量部位に於いて重量ランク選別を行うと同時に組み合わせ計量を行うことができるものであって、
該重量ランク選別のための重量ランクを複数設定する機構と、
該重量ランクごとに異なった組み合わせ計量の目標重量を設定する機構とを有し、
重量ランク選別を行うと同時に組み合わせ計量を行うことができることを特徴とする、
組み合わせ計量機。
【請求項１０】
該重量ランク選別を行うと同時に組み合わせ計量を行うことができる組み合わせ計量機に於いて、
該重量ランクを設定し記憶する機能と、
該重量ランクごとに異なった組み合わせ計量の目標重量を設定し記憶する機能と、
個々の秤量対象物が選別された際に重量ランク及び重量ランクごとに異なった組み合わせ計量の目標重量を関連付けて記憶する機能を有し、
重量ランク選別を行うと同時に組み合わせ計量を行うとともに出荷データを蓄積することができることを特徴とする、
請求項９記載の組み合わせ計量機。
【請求項１１】
該重量ランク選別を行うと同時に組み合わせ計量を行うことができる組み合わせ計量機は、
更に出荷データを外部出力する機能を有することを特徴とする、
請求項１０記載の組み合わせ計量機。
【請求項１２】
該出荷データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする、
請求項１１記載の組み合わせ計量機。
【請求項１３】
該重量ランク選別を行うと同時に組み合わせ計量を行うことができる組み合わせ計量機に於いて、
該重量ランクを設定し記憶する機能と、
該重量ランクごとに異なった組み合わせ計量の目標重量を設定し記憶する機能と、
個々の秤量対象物が選別された際に重量ランク及び重量ランクごとに異なった組み合わせ計量の目標重量を関連付けて記憶する機能と、
これらデータを集計して出荷データを生成する機能を有することを特徴とする、
請求項１０乃至１２の何れか一に記載の組み合わせ計量機。
【請求項１４】
該重量ランク選別を行うと同時に組み合わせ計量を行うことができる組み合わせ計量機に於いて、
該出荷データ及び当日の価格データを元に伝票データを生成する機能を有することを特徴とする、
請求項１３記載の組み合わせ計量機。
【請求項１５】
該重量ランク選別を行うと同時に組み合わせ計量を行うことができる組み合わせ計量機は、
該出荷データ或いは該伝票データを外部出力する機能を有することを特徴とする、
請求項１３又は１４記載の組み合わせ計量機。
【請求項１６】
該出荷データ或いは該伝票データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする、
請求項１５記載の組み合わせ計量機。
【請求項１７】
該マトリクス表示素子は、マトリクスＬＥＤ表示素子であることを特徴とする、
請求項１乃至１６の何れか一に記載の組み合わせ計量機。
【請求項１８】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項１乃至１７の何れか一に記載の組み合わせ計量機。
【請求項１９】
該組み合わせ計量機の計量皿は、
一列又は二列に配置されてなり、
重量ランク選別を含む作業時に於いて両側からの作業が可能であることを特徴とする、
請求項１乃至１８の何れか一に記載の組み合わせ計量機。
【請求項２０】
該組み合わせ計量機の計量皿は、
一列又は二列に配置されてなり、
且つ、一列の場合にもその両側に指示機構を有して両側からの作業が可能であることを特徴とする、
請求項１９記載の組み合わせ計量機。
【請求項２１】
該組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項１乃至２０の何れか一に記載の組み合わせ計量機。
【請求項２２】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項１乃至２１の何れか一に記載の組み合わせ計量機。
【請求項２３】
該組み合わせ計量機は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項１乃至２２の何れか一に記載の組み合わせ計量機。
【請求項２４】
野菜・食品等の単体及び／又は組み合わせを秤量するための組み合わせ計量機の使用方法において、
該組み合わせ計量機の各計量部位は近傍にマトリクス表示素子を備え、
該組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機能を有し、
該組み合わせ計量機の各計量部位に於いて重量ランク選別を行うにあたり、
該組み合わせ計量機の計量部位は複数の計量部位群に分割して機能する機構を有し、
該複数の計量部位群のそれぞれに対して品質によるランクを設定することが出来、
品質による選別と重量ランクによる選別を同時に行うことができることを特徴とする、
組み合わせ計量機の使用方法。
【請求項２５】
該品質による選別と重量ランクによる選別を同時に行うことができる組み合わせ計量機の使用方法に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能を有し、
品質による選別と重量ランクによる選別を同時に行うとともに選別データを蓄積することができることを特徴とする、
請求項２４記載の組み合わせ計量機の使用方法。
【請求項２６】
該品質による選別と重量ランクによる選別を同時に行うことができる組み合わせ計量機は、
更に品質による選別と重量ランクによる選別を関連付けて記憶した選別データを外部出力する機能を有することを特徴とする、
請求項２５記載の組み合わせ計量機の使用方法。
【請求項２７】
該品質による選別と重量ランクによる選別を関連付けて記憶した選別データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする、
請求項２６記載の組み合わせ計量機の使用方法。
【請求項２８】
該品質による選別と重量ランクによる選別を同時に行うことができる組み合わせ計量機の使用方法に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能と、
これらデータを集計して受け入れデータを生成する機能を有することを特徴とする、
請求項２５乃至２７の何れか一に記載の組み合わせ計量機の使用方法。
【請求項２９】
該品質による選別と重量ランクによる選別を同時に行うことができる組み合わせ計量機の使用方法に於いて、
該品質による選別ランクを設定し記憶する機能と、
該重量ランクによる選別ランクを設定し記憶する機能と、
個々の秤量対象物が選別された際に品質による選別ランク及び重量ランクによる選別ランクを関連付けて記憶する機能と、
これらデータを集計して受け入れデータを生成する機能と、
該受け入れデータ及び当日の価格データを元に伝票データを生成する機能を有することを特徴とする、
請求項２８記載の組み合わせ計量機の使用方法。
【請求項３０】
該品質による選別と重量ランクによる選別を同時に行うことができる組み合わせ計量機は、
該受け入れデータ或いは該伝票データを外部出力する機能を有することを特徴とする、
請求項２８又は２９記載の組み合わせ計量機の使用方法。
【請求項３１】
該受け入れデータ或いは該伝票データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする、
請求項３０記載の組み合わせ計量機の使用方法。
【請求項３２】
野菜・食品等の単体及び／又は組み合わせを秤量するための組み合わせ計量機の使用方法において、
該組み合わせ計量機の各計量部位は近傍にマトリクス表示素子を備え、
該組み合わせ計量機の各計量部位に於いて重量ランク選別を行うと同時に組み合わせ計量を行うことができるものであって、
該重量ランク選別のための重量ランクを複数設定する機構と、
該重量ランクごとに異なった組み合わせ計量の目標重量を設定する機構とを有し、
重量ランク選別を行うと同時に組み合わせ計量を行うことができることを特徴とする、
組み合わせ計量機の使用方法。
【請求項３３】
該重量ランク選別を行うと同時に組み合わせ計量を行うことができる組み合わせ計量機の使用方法に於いて、
該重量ランクを設定し記憶する機能と、
該重量ランクごとに異なった組み合わせ計量の目標重量を設定し記憶する機能と、
個々の秤量対象物が選別された際に重量ランク及び重量ランクごとに異なった組み合わせ計量の目標重量を関連付けて記憶する機能を有し、
重量ランク選別を行うと同時に組み合わせ計量を行うとともに出荷データを蓄積することができることを特徴とする、
請求項３２記載の組み合わせ計量機の使用方法。
【請求項３４】
該重量ランク選別を行うと同時に組み合わせ計量を行うことができる組み合わせ計量機は、
更に出荷データを外部出力する機能を有することを特徴とする、
請求項３３記載の組み合わせ計量機の使用方法。
【請求項３５】
該出荷データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする、
請求項３４記載の組み合わせ計量機の使用方法。
【請求項３６】
該重量ランク選別を行うと同時に組み合わせ計量を行うことができる組み合わせ計量機の使用方法に於いて、
該重量ランクを設定し記憶する機能と、
該重量ランクごとに異なった組み合わせ計量の目標重量を設定し記憶する機能と、
個々の秤量対象物が選別された際に重量ランク及び重量ランクごとに異なった組み合わせ計量の目標重量を関連付けて記憶する機能と、
これらデータを集計して出荷データを生成する機能を有することを特徴とする、
請求項３３乃至３５の何れか一に記載の組み合わせ計量機の使用方法。
【請求項３７】
該重量ランク選別を行うと同時に組み合わせ計量を行うことができる組み合わせ計量機の使用方法に於いて、
該出荷データ及び当日の価格データを元に伝票データを生成する機能を有することを特徴とする、
請求項３６記載の組み合わせ計量機の使用方法。
【請求項３８】
該重量ランク選別を行うと同時に組み合わせ計量を行うことができる組み合わせ計量機は、
該出荷データ或いは該伝票データを外部出力する機能を有することを特徴とする、
請求項３６又は３７記載の組み合わせ計量機の使用方法。
【請求項３９】
該出荷データ或いは該伝票データを外部出力する機能による外部出力対象は、
ＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする、
請求項３８記載の組み合わせ計量機の使用方法。
【請求項４０】
該マトリクス表示素子は、マトリクスＬＥＤ表示素子であることを特徴とする、
請求項２４乃至３９の何れか一に記載の組み合わせ計量機の使用方法。
【請求項４１】
該組み合わせ計量機は、
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップすることを特徴とする、
請求項２４乃至４０の何れか一に記載の組み合わせ計量機。
【請求項４２】
該組み合わせ計量機の計量皿は、
一列又は二列に配置されてなり、
重量ランク選別を含む作業時に於いて両側からの作業が可能であることを特徴とする、
請求項２４乃至４１の何れか一に記載の組み合わせ計量機の使用方法。
【請求項４３】
該組み合わせ計量機の計量皿は、
一列又は二列に配置されてなり、
且つ、一列の場合にもその両側に指示機構を有して両側からの作業が可能であることを特徴とする、
請求項４２記載の組み合わせ計量機の使用方法。
【請求項４４】
該組み合わせ計量機に用いられる計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項２４乃至４３の何れか一に記載の組み合わせ計量機の使用方法。
【請求項４５】
該組み合わせ計量機の使用方法は、
計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする、
請求項２４乃至４４の何れか一に記載の組み合わせ計量機の使用方法。
【請求項４６】
該組み合わせ計量機の使用方法は、
計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする、
請求項２４乃至４５の何れか一に記載の組み合わせ計量機の使用方法。
【発明の詳細な説明】
【技術分野】
【０００１】
本発明は、野菜・食品等の単体及び／又は組み合わせを秤量するための計量機或いは組み合わせ計量機において、簡便な構成で重量ランク選別、組み合わせ計量と併用可能なランク選別が可能であり、また、品質による選別と重量ランクによる選別を同時に行うことができ、或いは重量ランク選別を行うと同時に組み合わせ計量を行うことができる組み合わせ計量及び組み合わせ計量機の使用方法に関するものである。
【背景技術】
【０００２】
野菜・食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。また、農作物や水産物には１個あたりの重さによるＳ・Ｍ・Ｌなどの重量ランクが存在する。この重量ランクには幅があるため重量ランク内の大きめの単体が集中して組み合わされると重量オーバーになり、逆だと重量不足になるといった問題があった。
【０００４】
量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。しかし、個別の農家や小規模の出荷組合等に於いては大規模で高価な自動機の組み合わせ計量機を導入する余裕はなく、手作業による秤量選別が行われているのが実情である。
【０００５】
このため、簡便な構成で重量ランク選別、組み合わせ計量と併用可能なランク選別が可能であり、また、品質による選別と重量ランクによる選別を同時に行うことができ、或いは重量ランク選別を行うと同時に組み合わせ計量を行うことができる組み合わせ計量機及び組み合わせ計量機の使用方法が求められていた。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
野菜・食品等のうちには、例えばイチゴやサクランボなどのように付加価値は高いものの重量によるランク分けが多岐に亘り且つ厳密な商品、さらにトレー等の容器への詰め方が非常に複雑なものがあり、これらの野菜・食品を効率良く重量ランク選別、組み合わせ計量と併用可能なランク選別をすることは非常に困難であり、対策が求められていた。
【０００９】
簡便な構成で重量ランク選別、組み合わせ計量と併用可能なランク選別が可能な組み合わせ計量及び組み合わせ計量機の使用方法が求められていた。特に、品質による選別と重量ランクによる選別を同時に行うことができる組み合わせ計量及び組み合わせ計量機の使用方法、或いは重量ランク選別を行うと同時に組み合わせ計量を行うことができる組み合わせ計量機及び組み合わせ計量機の使用方法に対するニーズは大きい。
【００１０】
さらに、これらのデータを統合して伝票データや出荷データを生成し出力、共有化することができ個別の農家や小規模の出荷組合等における省力化の効果は非常に大きい。
【課題を解決するための手段】
【００１１】
本発明は、該組み合わせ計量機の各計量部位は近傍にマトリクス表示素子を備え、該組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機能を有し、該組み合わせ計量機の各計量部位に於いて重量ランク選別を行うにあたり、該組み合わせ計量機の計量部位は複数の計量部位群に分割して機能する機構を有し、該複数の計量部位群のそれぞれに対して品質によるランクを設定することが出来、品質による選別と重量ランクによる選別を同時に行うことができることを特徴とする組み合わせ計量機であり、その使用方法である。
【００１２】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能を有し、品質による選別と重量ランクによる選別を同時に行うとともに選別データを蓄積することができることを特徴とする。
【００１３】
また本発明は、更に品質による選別と重量ランクによる選別を関連付けて記憶した選別データを外部出力する機能を有することを特徴とする。
【００１４】
また本発明は、該品質による選別と重量ランクによる選別を関連付けて記憶した選別データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする。
【００１５】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能と、これらデータを集計して受け入れデータを生成する機能を有することを特徴とする。
【００１６】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能と、これらデータを集計して受け入れデータを生成する機能と、該受け入れデータ及び当日の価格データを元に伝票データを生成する機能を有することを特徴とする。
【００１７】
また本発明は、該受け入れデータ或いは該伝票データを外部出力する機能を有することを特徴とする。
【００１８】
また本発明は、該受け入れデータ或いは該伝票データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする。
【００１９】
また本発明は、野菜・食品等の単体及び／又は組み合わせを秤量するための組み合わせ計量機及びその使用方法において、該組み合わせ計量機の各計量部位は近傍にマトリクス表示素子を備え、該組み合わせ計量機の各計量部位に於いて重量ランク選別を行うと同時に組み合わせ計量を行うことができるものであって、該重量ランク選別のための重量ランクを複数設定する機構と、該重量ランクごとに異なった組み合わせ計量の目標重量を設定する機構とを有し、重量ランク選別を行うと同時に組み合わせ計量を行うことができることを特徴とする、組み合わせ計量機であり、その使用方法である。
【００２０】
また本発明は、該重量ランクを設定し記憶する機能と、該重量ランクごとに異なった組み合わせ計量の目標重量を設定し記憶する機能と、個々の秤量対象物が選別された際に重量ランク及び重量ランクごとに異なった組み合わせ計量の目標重量を関連付けて記憶する機能を有し、重量ランク選別を行うと同時に組み合わせ計量を行うとともに出荷データを蓄積することができることを特徴とする。
【００２１】
また本発明は、更に出荷データを外部出力する機能を有することを特徴とする。
【００２２】
また本発明は、該出荷データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする。
【００２３】
また本発明は、該重量ランクを設定し記憶する機能と、該重量ランクごとに異なった組み合わせ計量の目標重量を設定し記憶する機能と、個々の秤量対象物が選別された際に重量ランク及び重量ランクごとに異なった組み合わせ計量の目標重量を関連付けて記憶する機能と、これらデータを集計して出荷データを生成する機能を有することを特徴とする。
【００２４】
また本発明は、該出荷データ及び当日の価格データを元に伝票データを生成する機能を有することを特徴とする。
【００２５】
また本発明は、該出荷データ或いは該伝票データを外部出力する機能を有することを特徴とし、さらに本発明は、該出荷データ或いは該伝票データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする。
【００２６】
また本発明は、該マトリクス表示素子がマトリクスＬＥＤ表示素子であることを特徴とする。
【００２７】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００２８】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００２９】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００３０】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【発明の効果】
【００３１】
本発明に係る計量機及び組み合わせ計量機の使用方法は、簡便な構成で重量ランク選別、組み合わせ計量と併用可能なランク選別が可能であり、また、品質による選別と重量ランクによる選別を同時に行うことができでき、或いは重量ランク選別を行うと同時に組み合わせ計量を行うことができる組み合わせ計量機及び組み合わせ計量機の使用方法を実現し、さらに、これらのデータを統合して伝票データや出荷データを生成し出力、共有化することができれば個別の農家や小規模の出荷組合等における省力化に貢献し、計量機の用途を拡大することを可能とし、作業効率を向上させ、もって社会に資することが出来る。
【図面の簡単な説明】
【００３２】
【図１】図１は、本発明に係る組み合わせ計量機の、重量選別機能を説明するための図である。
【図２】図２は、本発明に係る組み合わせ計量機の、品質による選別と重量ランクによる選別を同時に行う機能を説明するための図である。
【図３】図３は、本発明に係る組み合わせ計量機の、重量ランク選別を行うと同時に組み合わせ計量を行う機能を説明するための図である。
【図４】図４は、本発明に係る組み合わせ計量機の、重量ランク選別を行うと同時に組み合わせ計量を行う機能を説明するための図である。
【図５】図５は、本発明に係る組み合わせ計量機の、重量ランク選別を行うと同時に組み合わせ計量を行う機能を説明するための図である。
【図６】図６は、本発明に係る組み合わせ計量機の、重量ランク選別を行うと同時に組み合わせ計量を行う機能を説明するための図である。
【発明を実施するための形態】
【００３３】
本発明は、該組み合わせ計量機の各計量部位は近傍にマトリクス表示素子を備え、該組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示す機能を有し、該組み合わせ計量機の各計量部位に於いて重量ランク選別を行うにあたり、該組み合わせ計量機の計量部位は複数の計量部位群に分割して機能する機構を有し、該複数の計量部位群のそれぞれに対して品質によるランクを設定することが出来、品質による選別と重量ランクによる選別を同時に行うことができることを特徴とする組み合わせ計量機であり、その使用方法である。
【００３４】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能を有し、品質による選別と重量ランクによる選別を同時に行うとともに選別データを蓄積することができることを特徴とする。
【００３５】
また本発明は、更に品質による選別と重量ランクによる選別を関連付けて記憶した選別データを外部出力する機能を有することを特徴とする。
【００３６】
また本発明は、該品質による選別と重量ランクによる選別を関連付けて記憶した選別データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする。
【００３７】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能と、これらデータを集計して受け入れデータを生成する機能を有することを特徴とする。
【００３８】
また本発明は、該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能と、これらデータを集計して受け入れデータを生成する機能と、該受け入れデータ及び当日の価格データを元に伝票データを生成する機能を有することを特徴とする。
【００３９】
また本発明は、該受け入れデータ或いは該伝票データを外部出力する機能を有することを特徴とする。
【００４０】
また本発明は、該受け入れデータ或いは該伝票データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする。
【００４１】
また本発明は、野菜・食品等の単体及び／又は組み合わせを秤量するための組み合わせ計量機及びその使用方法において、該組み合わせ計量機の各計量部位は近傍にマトリクス表示素子を備え、該組み合わせ計量機の各計量部位に於いて重量ランク選別を行うと同時に組み合わせ計量を行うことができるものであって、該重量ランク選別のための重量ランクを複数設定する機構と、該重量ランクごとに異なった組み合わせ計量の目標重量を設定する機構とを有し、重量ランク選別を行うと同時に組み合わせ計量を行うことができることを特徴とする、組み合わせ計量機であり、その使用方法である。
【００４２】
また本発明は、該重量ランクを設定し記憶する機能と、該重量ランクごとに異なった組み合わせ計量の目標重量を設定し記憶する機能と、個々の秤量対象物が選別された際に重量ランク及び重量ランクごとに異なった組み合わせ計量の目標重量を関連付けて記憶する機能を有し、重量ランク選別を行うと同時に組み合わせ計量を行うとともに出荷データを蓄積することができることを特徴とする。
【００４３】
また本発明は、更に出荷データを外部出力する機能を有することを特徴とする。また本発明は、該出荷データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器であることを特徴とする。
【００４４】
また本発明は、該重量ランクを設定し記憶する機能と、該重量ランクごとに異なった組み合わせ計量の目標重量を設定し記憶する機能と、個々の秤量対象物が選別された際に重量ランク及び重量ランクごとに異なった組み合わせ計量の目標重量を関連付けて記憶する機能と、これらデータを集計して出荷データを生成する機能を有することを特徴とする。
【００４５】
また本発明は、該出荷データ及び当日の価格データを元に伝票データを生成する機能を有することを特徴とする。
【００４６】
また本発明は、該出荷データ或いは該伝票データを外部出力する機能を有することを特徴とし、さらに本発明は、該出荷データ或いは該伝票データを外部出力する機能による外部出力対象がＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターであることを特徴とする。
【００４７】
また本発明は、該マトリクス表示素子がマトリクスＬＥＤ表示素子であることを特徴とする。
【００４８】
また本発明は、該組み合わせ計量機が複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップすることを特徴とする。
【００４９】
また本発明は、該組み合わせ計量機の計量皿が一列又は二列に配置されてなり、重量ランク選別を含む作業時に於いて両側からの作業が可能であることを特徴とする。また本発明は、該組み合わせ計量機の計量皿が一列又は二列に配置されてなり、且つ、一列の場合にもその両側に指示機構を有して両側からの作業が可能であることを特徴とする。
【００５０】
また本発明は、該計量機或いは組み合わせ計量機に用いられる計量皿が合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００５１】
また本発明は、該計量機或いは組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度重量ランク表示を行うことを特徴とする。或いは本発明は、該組み合わせ計量機は、計量皿に載置された秤量対象物の一部または全部が取り去られ或いは追加された場合、即ち１個或いは複数の秤量部のいずれかの計測値が一定以上変動した場合に、自動的に再計算を行い、再度最適組み合わせの表示を行うことを特徴とする。
【００５２】
本発明に係る計量機及び組み合わせ計量機の使用方法は、簡便な構成で重量ランク選別、組み合わせ計量と併用可能なランク選別が可能であり、また、品質による選別と重量ランクによる選別を同時に行うことができ、或いは重量ランク選別を行うと同時に組み合わせ計量を行うことができる組み合わせ計量機及び組み合わせ計量機の使用方法を実現し、さらに、これらのデータを統合して伝票データや出荷データを生成し出力、共有化することができ個別の農家や小規模の出荷組合等における省力化に貢献し、計量機の用途を拡大することを可能とし、作業効率を向上させることが出来る。
【実施例１】
【００５３】
図１は、本発明に係る組み合わせ計量機の、重量選別機能を説明するための図である。本発明に係る野菜・食品等の組み合わせを秤量するための計量機或及びその使用方法においては、該組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことにより重量選別を行う。
【００５４】
なお、図１には１列６ヘッドの組み合わせ計量機の例を示しているが、本発明はかかる態様に限定されるものではなく、１列４ヘッド、１列８ヘッド、或いは２列１２ヘッド（各列６ヘッド）など、さまざまな構成で実用可能である。なお、２列構成の場合は両側から複数の作業者による作業が可能であることはいうまでもない。
【００５５】
農作物や水産物には１個あたりの重さによるＳ・Ｍ・Ｌなどの重量ランクが存在する。従来、重量によりランク表示する方法は大きく３種類あった。このうち、音声による表示が最も一般的である。かかる方法は重量の変動を認識してコンピュータでＳ・Ｍ・Ｌなどの重量ランクを発声してナビゲーションするのであるが、重量の変動幅を正しく認識するためには振動による重量変動が収まるのを待つ時間が必要である。この時間は１．０〜１．５秒程度になるが作業者にとってはこの待ち時間が長すぎると感じられる。また、複数台の使用あるいは複数の計量部位を有する組み合わせ計量機の使用の場合は同時に発声した場合ユーザーが聞き取れないという問題があり、必然的に１人に対して１つの重量センサーを用いたはかりを用いることになり、作業効率が悪かった。
【００５６】
次に、バー表示ＬＥＤによる表示も用いられている。これは設定重量に対して重量をバー表示ＬＥＤで表示するもので、設定重量の幅を棒グラフのように視覚的にユーザーにナビゲーションする。これは、重量チェッカーとしては利用されているが重量ランク選別としては一般的でない。
【００５７】
さらに、光による表示があり、ＬＥＤの点灯パターンで表示するもの代表的である。点灯が１度ならＳ、２度ならＭなどの表示をするものであるが、雑なランク選別には適しておらず普及していない。
【００５８】
そこで本発明は、本発明に係る野菜・食品等の組み合わせを秤量するための計量機或及びその使用方法においては、該組み合わせ計量機の各計量部位は近傍にマトリクス表示素子を備え、該計量機或いは組み合わせ計量機の各計量部位に於いて重量ランク選別を行うにあたり、該マトリクス表示素子にあらかじめ登録された大・中・小或いはＳ・Ｍ・Ｌ等の重量ランクを示す文字を表示することによりランクを示すことにより重量選別を行うことを可能にした。
【００５９】
表示素子はマトリクス表示素子であれば好適に用いられ、液晶表示素子などでも良いが、コスト面及び輝度面からはマトリクスＬＥＤ素子が最も好適である。このように、組み合わせ計量機の構成においても本発明の構成を応用することにより複数の秤量部を同時に用いての重量ランク選別が可能となり、さらに組み合わせ計量も可能となる。この構成の場合、両側から複数の作業者が同時に作業することもできる。
【００６０】
かかる構成により、待ち時間も解消され処理速度が改善される。また、機械式の自動排出と異なり落下による衝撃がないため青果物が傷みにくく、本発明による重量ランク選別は青果物の重量ランク選別に適しているといえる。
【実施例２】
【００６１】
図２は、本発明に係る組み合わせ計量機の、品質による選別と重量ランクによる選別を同時に行う機能を説明するための図である。本実施例においては、組み合わせ計量機の各計量部位に於いて重量ランク選別を行うにあたり、該組み合わせ計量機の計量部位は複数の計量部位群に分割して機能する機構を有し、該複数の計量部位群のそれぞれに対して品質によるランクを設定することが出来、品質による選別と重量ランクによる選別を同時に行うことができるようにした。
【００６２】
なお、図２には１列６ヘッドの組み合わせ計量機の例を示しているが、本発明はかかる態様に限定されるものではなく、１列４ヘッド、１列８ヘッド、或いは２列１２ヘッド（各列６ヘッド）など、さまざまな構成で実用可能である。なお、２列構成の場合は両側から複数の作業者による作業が可能であることはいうまでもない。
【００６３】
ここで、本実施例においては品質による選別ランクを２段階に設定しているが、本発明はかかる態様に限定されるものではなく、３段階以上の設定で実用可能である。
【００６４】
また、本発明に於いては該品質による選別と重量ランクによる選別を同時に行うことができる組み合わせ計量機に於いて、該品質による選別ランクを設定し記憶する機能と、該重量ランクによる選別ランクを設定し記憶する機能と、個々の秤量対象物が選別された際に品質による選別ランク及び重量ランクによる選別ランクを関連付けて記憶する機能を有し、品質による選別と重量ランクによる選別を同時に行うとともに選別データを蓄積することができるようにした。
【００６５】
本発明に於いては品質による選別と重量ランクによる選別を関連付けて記憶した選別データを外部出力する機能を有し、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器のいずれにも対応するようにした。
【００６６】
さらに本発明に於いてはこれらデータを集計して受け入れデータを生成する機能を備えるようにし、さらに、この受け入れデータ及び当日の価格データを元に伝票データを生成する機能を備えるようにした。
【００６７】
本発明に於いては受け入れデータ及び／又は伝票データを外部出力する機能を有し、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器のいずれにも対応するようにした。また、該受け入れデータ或いは該伝票データを外部出力する機能を備え、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターのいずれにも対応するようにした。
【００６８】
これにより、品質による選別と重量ランクによる選別を同時に行うことができ、さらに受け入れデータ及び／又は伝票データをリアルタイムで生成、共有、処理できるようになり、共有化することができれば個別の農家や小規模の出荷組合等における省力化に貢献し、計量機の用途を拡大することを可能とし、作業効率を向上させることができた。
【実施例３】
【００６９】
図３乃至図６は、本発明に係る組み合わせ計量機の、重量ランク選別を行うと同時に組み合わせ計量を行う機能を説明するための図である。本発明に於いては、野菜・食品等の組み合わせを秤量するための組み合わせ計量機において、該組み合わせ計量機の各計量部位は近傍にマトリクス表示素子を備え、該組み合わせ計量機の各計量部位に於いて重量ランク選別を行うと同時に組み合わせ計量を行うことができるものであって、該重量ランク選別のための重量ランクを複数設定する機構と、該重量ランクごとに異なった組み合わせ計量の目標重量を設定する機構とを有し、重量ランク選別を行うと同時に組み合わせ計量を行うことができるようにした。
【００７０】
図３乃至図６は、重量ランク選別のための重量ランクをＭサイズおよびＬサイズの２段階で設定した例である。なお、重量ランクは２段階に限定されるものではなく、３段階以上の設定も本発明に含まれ、それぞれに重量ランクごとに異なった組み合わせ計量の目標重量を設定する機構を備えて良い。
【００７１】
本実施例では、計量値目標はＭサイズの 場合３本で４５０g以上、Ｌサイズの 場合３本で４００g以上とした。図３の段階でＬサイズが２本計測され、図４でＬサイズ２本をピックアップしている。さらに載置を進めると図５の段階でＭサイズが３本計測され、図６でＭサイズ３本をピックアップしている。
【００７２】
ここで、図５以降の載置はピックアップして空となった計量位置に行ってもよく、自動的に再計算が行われて効率よく重量ランク選別を行うと同時に組み合わせ計量を行うことができる。
【００７３】
なお、図３乃至図６には１列６ヘッドの組み合わせ計量機の例を示しているが、本発明はかかる態様に限定されるものではなく、１列４ヘッド、１列８ヘッド、或いは２列１２ヘッド（各列６ヘッド）など、さまざまな構成で実用可能である。なお、２列構成の場合は両側から複数の作業者による作業が可能であることはいうまでもない。
【００７４】
ここで、本実施例においては重量選別ランクを２段階に設定しているが、本発明はかかる態様に限定されるものではなく、３段階以上の設定で実用可能である。
【００７５】
本発明の構成により、重量ランク選別を行うと同時に組み合わせ計量を行うことができる組み合わせ計量機及び組み合わせ計量機の使用方法を実現し、作業効率を格段に向上させることができた。
【００７６】
また、本発明に於いては該重量ランクを設定し記憶する機能と、該重量ランクごとに異なった組み合わせ計量の目標重量を設定し記憶する機能と、個々の秤量対象物が選別された際に重量ランク及び重量ランクごとに異なった組み合わせ計量の目標重量を関連付けて記憶する機能を有し、重量ランク選別を行うと同時に組み合わせ計量を行うとともに出荷データを蓄積することができるようにした。
【００７７】
本発明に於いては出荷データを外部出力する機能を有し、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器のいずれにも対応するようにした。
【００７８】
さらに本発明に於いてはこの受け入れデータ及び当日の価格データを元に伝票データを生成する機能を備えるようにした。
【００７９】
本発明に於いては出荷データ及び／又は伝票データを外部出力する機能を有し、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器のいずれにも対応するようにした。また、該受け入れデータ或いは該伝票データを外部出力する機能を備え、外部出力対象はＵＳＢメモリ、ＳＤカードを含む外部記憶装置及び／又はインターネット上のクラウドサーバを含むネットワーク上の記憶領域及び／又は携帯電話を含む通信ネットワーク機器、或いはプリンターのいずれにも対応するようにした。
【００８０】
これにより、重量ランク選別を行うと同時に組み合わせ計量を行うことができ、さらに出荷データ及び／又は伝票データをリアルタイムで生成、共有、処理できるようになり、共有化することができれば個別の農家や小規模の出荷組合等における省力化に貢献し、計量機の用途を拡大することを可能とし、作業効率を向上させることができた。
【００８１】
以上述べてきたように、簡便な構成で重量ランク選別、組み合わせ計量と併用可能なランク選別が可能であり、また、品質による選別と重量ランクによる選別を同時に行うことができでき、或いは重量ランク選別を行うと同時に組み合わせ計量を行うことができる組み合わせ計量機及び組み合わせ計量機の使用方法が導入可能となり、作業効率の向上と農家所得の増大に与って効果のあるものとなった。
【産業上の利用可能性】
【００８２】
本発明に係る組み合わせ計量機及び組み合わせ計量機の使用方法は、簡便な構成で重量ランク選別、組み合わせ計量と併用可能なランク選別が可能であり、また、品質による選別と重量ランクによる選別を同時に行うことができ、或いは重量ランク選別を行うと同時に組み合わせ計量を行うことができる組み合わせ計量機及び組み合わせ計量機の使用方法を実現し、さらに、これらのデータを統合して伝票データや出荷データを生成し出力、共有化することができ個別の農家や小規模の出荷組合等における省力化に貢献し、計量機の用途を拡大することを可能とし、作業効率を向上させ、産業上の利用可能性は大である。
【図１】
2019066432.tif 000003
【図２】
2019066432.tif 000004
【図３】
2019066432.tif 000005
【図４】
2019066432.tif 000006
【図５】
2019066432.tif 000007
【図６】
2019066432.tif 000008